(57)【要約】【課題】端末の制御部にモジュール装置の給電制御を行うための信号を生成する機能が備えられていなくとも、端末側でモジュール装置の給電制御を実施することができるモジュール装置を提供する。【解決手段】拡張モジュール１００は、端末１よりインターフェース部１１０に送信されるインターフェース信号の交流成分から、直流成分の電圧信号を生成する直流成分生成部１３０と、直流成分生成部１３０により生成される電圧信号の電圧値がスレシホールド電圧Ｖｔｈを上回る場合に、トリガー信号を出力するトリガー信号出力部１４０とトリガー信号出力部１４０よりトリガー信号が入力された場合に、出力信号のレベルを反転させて出力するフリップフロップ回路部１５０と、フリップフロップ回路部１５０からトリガー信号の入力による反転された出力信号がゲートに入力されると、スタンバイ状態をオン状態に切換える切換えスイッチ１６０と、を備える。【選択図】図１
2011022803.tif 000002
【特許請求の範囲】
【請求項１】
端末とインターフェース部を介して接続されるモジュール装置において、
前記端末よりインターフェース部に送信されるインターフェース信号の交流成分から、直流成分の電圧信号を生成する直流成分生成部と、
前記直流成分生成部と接続され、前記直流成分生成部により生成される電圧信号の電圧値が所定値を上回る場合に、所定のトリガー信号を出力するトリガー信号出力部と、
複数の論理回路を含み、一の論理回路の入力側が前記トリガー信号出力部と接続され、前記トリガー信号出力部よりトリガー信号が入力された場合に、出力信号のレベルを反転させて出力するフリップフロップ回路と、
ゲートが前記フリップフロップ回路の出力側と接続され、ドレインが制御部と接続された電界効果トランジスタで構成され、前記フリップフロップ回路から前記トリガー信号の入力による反転された出力信号が前記ゲートに入力されると、前記制御部への給電停止状態を給電状態に切換える切換えスイッチと、
を備えることを特徴とするモジュール装置。
【請求項２】
請求項１に記載のモジュール装置において、
前記制御部は、
前記フリップフロップ回路の前記一の論理回路と異なる論理回路の入力側と接続され、前記切換えスイッチにより給電状態に切換えられた後当該モジュール装置の動作が終了する際に、動作終了信号を前記入力側に出力する動作終了信号出力手段を有し、
前記フリップフロップ回路は、
前記動作終了信号出力手段より動作終了信号が入力された場合に、前記トリガー信号の入力による反転された出力信号のレベルを再度反転させて出力し、
前記切換えスイッチは、
前記フリップフロップ回路から前記動作終了信号の入力による再度反転された出力信号が前記ゲートに入力されると、前記制御部への給電状態を給電停止状態に切換えることを特徴とするモジュール装置。
【請求項３】
請求項１又は２に記載のモジュール装置において、
前記フリップフロップ回路は、ＣＭＯＳ素子で形成されることを特徴とするモジュール装置。
【請求項４】
端末とインターフェース部を介して接続されるモジュール装置において、
前記端末よりインターフェース部に送信されるインターフェース信号の交流成分から、直流成分の電圧信号を生成する直流成分生成部と、
前記直流成分生成部と接続され、前記直流成分生成部により生成される電圧信号の電圧値が所定値を上回る場合に、所定のトリガー信号を出力するトリガー信号出力部と、
複数の論理回路を含み、一の論理回路の入力側が前記トリガー信号出力部と接続され、前記トリガー信号出力部よりトリガー信号が入力された場合に、出力信号のレベルを反転させて出力するフリップフロップ回路と、
ゲートが前記フリップフロップ回路の出力側と接続され、ドレインが制御部と接続された電界効果トランジスタで構成され、前記フリップフロップ回路から前記トリガー信号の入力による反転された出力信号が前記ゲートに入力されると、前記制御部への給電停止状態を給電状態に切換える切換えスイッチと、
を備え、
前記制御部は、
前記フリップフロップ回路の前記一の論理回路と異なる論理回路の入力側と接続され、前記切換えスイッチにより給電状態に切換えられた後当該モジュール装置の動作が終了する際に、動作終了信号を前記入力側に出力する動作終了信号出力手段を有し、
前記フリップフロップ回路は、
前記動作終了信号出力手段より動作終了信号が入力された場合に、前記トリガー信号の入力による反転された出力信号のレベルを再度反転させて出力し、
前記切換えスイッチは、
前記フリップフロップ回路から前記動作終了信号の入力による再度反転された出力信号が前記ゲートに入力されると、前記制御部への給電状態を給電停止状態に切換えることを特徴とするモジュール装置。
【発明の詳細な説明】
【技術分野】
【０００１】
本発明は携帯端末等の端末で動作する端末用のモジュール装置に関する。
【背景技術】
【０００２】
昨今、携帯端末等の端末は、メイン機能（例えば、通話機能）以外の付加的な機能（例えば、ネットワーク接続機能）を、当該端末にインターフェースを介して接続可能な機能拡張用のモジュール装置で実行する場合がある。
このようなモジュール装置では、常時給電状態にあるのではなく、当該モジュール装置の担う付加的な機能の実行を端末側から要求された際に給電されるように構成することが、省電力化という観点から望ましい。
【０００３】
ところで、上記のような給電制御を実施する手段として、制御部にて給電制御（電源ＯＮ／ＯＦＦ）の信号を生成して、当該信号を給電制御用の回路に送信する形式が広く用いられている（例えば、特許文献１及び特許文献２等参照）。
【先行技術文献】
【特許文献】
【０００４】
【特許文献１】特開２０００−２０７０７０号公報
【特許文献２】特開平１０−１９０８５５号公報
【発明の概要】
【発明が解決しようとする課題】
【０００５】
しかしながら、上記特許文献１及び特許文献２記載の給電制御形式をモジュール装置に適用した場合、端末の制御部にモジュール装置の給電制御を行うための信号を生成する機能が備えられていない限り、端末側でモジュール装置の給電制御を実施することができないという問題があった。
【０００６】
本発明の課題は、端末の制御部にモジュール装置の給電制御を行うための信号を生成する機能が備えられていなくとも、端末側でモジュール装置の給電制御を実施することができるモジュール装置を提供することにある。
【課題を解決するための手段】
【０００７】
上記課題を解決するため、請求項１に記載の発明は、端末とインターフェース部を介して接続されるモジュール装置において、前記端末よりインターフェース部に送信されるインターフェース信号の交流成分から、直流成分の電圧信号を生成する直流成分生成部と、前記直流成分生成部と接続され、前記直流成分生成部により生成される電圧信号の電圧値が所定値を上回る場合に、所定のトリガー信号を出力するトリガー信号出力部と、複数の論理回路を含み、一の論理回路の入力側が前記トリガー信号出力部と接続され、前記トリガー信号出力部よりトリガー信号が入力された場合に、出力信号のレベルを反転させて出力するフリップフロップ回路と、ゲートが前記フリップフロップ回路の出力側と接続され、ドレインが制御部と接続された電界効果トランジスタで構成され、前記フリップフロップ回路から前記トリガー信号の入力による反転された出力信号が前記ゲートに入力されると、前記制御部への給電停止状態を給電状態に切換える切換えスイッチと、を備えることを特徴とする。
【０００８】
請求項２に記載の発明は、請求項１に記載のモジュール装置において、前記制御部は、前記フリップフロップ回路の前記一の論理回路と異なる論理回路の入力側と接続され、前記切換えスイッチにより給電状態に切換えられた後、当該モジュール装置の動作が終了する際に、動作終了信号を前記入力側に出力する動作終了信号出力手段を有し、前記フリップフロップ回路は、前記動作終了信号出力手段より動作終了信号が入力された場合に、前記トリガー信号の入力による反転された出力信号のレベルを再度反転させて出力し、前記切換えスイッチは、前記フリップフロップ回路から前記動作終了信号の入力による再度反転された出力信号が前記ゲートに入力されると、前記制御部への給電状態を給電停止状態に切換えることを特徴とする。
【０００９】
請求項３に記載の発明は、請求項１又は２に記載のモジュール装置において、前記フリップフロップ回路は、ＣＭＯＳ素子で形成されることを特徴とする。
【００１０】
請求項４に記載の発明は、端末とインターフェース部を介して接続されるモジュール装置において、前記端末よりインターフェース部に送信されるインターフェース信号の交流成分から、直流成分の電圧信号を生成する直流成分生成部と、前記直流成分生成部と接続され、前記直流成分生成部により生成される電圧信号の電圧値が所定値を上回る場合に、所定のトリガー信号を出力するトリガー信号出力部と、複数の論理回路を含み、一の論理回路の入力側が前記トリガー信号出力部と接続され、前記トリガー信号出力部よりトリガー信号が入力された場合に、出力信号のレベルを反転させて出力するフリップフロップ回路と、ゲートが前記フリップフロップ回路の出力側と接続され、ドレインが制御部と接続された電界効果トランジスタで構成され、前記フリップフロップ回路から前記トリガー信号の入力による反転された出力信号が前記ゲートに入力されると、前記制御部への給電停止状態を給電状態に切換える切換えスイッチと、を備え、前記制御部は、前記フリップフロップ回路の前記一の論理回路と異なる論理回路の入力側と接続され、前記切換えスイッチにより給電状態に切換えられた後当該モジュール装置の動作が終了する際に、動作終了信号を前記入力側に出力する動作終了信号出力手段を有し、前記フリップフロップ回路は、前記動作終了信号出力手段より動作終了信号が入力された場合に、前記トリガー信号の入力による反転された出力信号のレベルを再度反転させて出力し、前記切換えスイッチは、前記フリップフロップ回路から前記動作終了信号の入力による再度反転された出力信号が前記ゲートに入力されると、前記制御部への給電状態を給電停止状態に切換えることを特徴とするモジュール装置。
【発明の効果】
【００１１】
本発明によれば、端末より送信されるインターフェース信号に基づいて、フリップフロップ回路の出力を反転させるトリガー信号が生成され、当該反転した出力が電界効果トランジスタ（切換えスイッチ）のゲートへ入力されることで、制御部を給電状態に切換るように構成されている。つまり、本発明では、端末よりインターフェース信号が送信されることで、モジュール装置が給電状態となるので、端末側でモジュール装置の給電制御を行うための信号を別途生成する必要がない。
よって、本発明は、端末の制御部にモジュール装置の給電制御を行うための信号を生成する機能が備えられていなくとも、端末側でモジュール装置の給電制御を実施することができるモジュール装置であるといえる。
【図面の簡単な説明】
【００１２】
【図１】本発明に係る拡張モジュールの概略構成図である。
【図２】本発明に係る拡張モジュールのスタンバイ状態からオン状態への遷移タイミングを説明するための図である。
【図３】本発明に係る拡張モジュールのオン状態からスタンバイ状態への遷移タイミングを説明するための図である。
【図４】本発明に係る拡張モジュールの手動スイッチによるスタンバイ状態からオン状態への遷移タイミングを説明するための図である。
【図５】本発明に係る拡張モジュールの電圧源起動時におけるスタンバイ状態の形成を説明するための図である。
【図６】本発明に係るフリップフロップ回路部のＮＡＮＤ回路の入出力状態を説明するための図である。
【図７】本発明に係る拡張モジュールによるオン状態／スタンバイ状態の切換え処理を説明するためのフローチャートである。
【発明を実施するための形態】
【００１３】
以下、本発明の実施の形態について図１〜図６を参照しながら説明する。なお、発明の範囲は図示例に限定されない。
【００１４】
本実施形態の拡張モジュール１００（モジュール装置）は、例えば、図１に示すように、端末１とインターフェース部１１０を介して接続され、端末１の担うメイン機能（例えば、通話機能）以外の付加的な機能（例えば、ネットワーク接続機能）を実行する機能拡張用のモジュール装置である。
【００１５】
端末１は、例えば、図１に示すように、インターフェース部１０を含み、拡張モジュール１００を着脱自在に構成された携帯端末である。つまり、端末１のユーザは、主にメイン機能を実行させる場合、拡張モジュール１００を取り外した状態で端末１を使用し、高速なネットワーク通信等の端末１のみでは実現出来ない機能を必要とする場合、適宜拡張モジュール１００を装着することにより、高度で多彩な機能を実行させることが出来る。
【００１６】
インターフェース部１０は、例えば、インターフェース信号としてのシリアル信号を拡張モジュール１００との間で送受信するためのシリアルインターフェースで構成される。なお、上記インターフェース信号は交流成分の電圧信号を含む。
【００１７】
拡張モジュール１００は、例えば、インターフェース部１１０と、直流成分生成部１３０と、トリガー信号出力部１４０と、フリップフロップ回路部１５０（フリップフロップ回路）と、切換えスイッチ１６０と、手動スイッチ部１７０と、装置電源部１８０と、制御部５００（動作終了信号出力手段）と、を含んで構成される。
【００１８】
インターフェース部１１０は、例えば、インターフェース信号（シリアル信号）を端末１との間で送受信するためのシリアルインターフェースで構成される。そして、拡張モジュール１００が端末１に装着された際に、当該インターフェース信号がインターフェース部１０からインターフェース部１１０へと送信される。
【００１９】
直流成分生成部１３０は、例えば、端末１のインターフェース部１０と、拡張モジュール１００のインターフェース部１１０と、の間に設けられ、２つのコンデンサ１３０ａと、２つのダイオード１３０ｂを含んで構成される。
つまり、拡張モジュール１００が端末１に装着された際、インターフェース部１０よりインターフェース部１１０へと送信されるインターフェース信号が、例えば、図２（A）に示すようなパルス波形で直流成分生成部１３０に入力されると、ダイオードの整電流特性及びコンデンサの充放電特性が作用し、図２（B）に示すような直流成分の電圧信号が生成される。
【００２０】
トリガー信号出力部１４０は、例えば、インピーダンス１４０ａと、ゲートが直流成分生成部１３０の出力側と接続され、ソースが拡張モジュール１００の筐体部分（外箱）に接続され、ドレインがフリップフロップ回路部１５０と接続されたN型の電界効果トランジスタ１４０ｂと、を含んで構成され、N型の電界効果トランジスタ１４０ｂの、ゲートの電圧値が所定値（スレシホールド電圧Ｖｔｈ）を上回るまでは、ソースとドレイン間には電流が流れないように構成されている。
したがって、図２（Ｃ）に示すように、図２（B）に示す電圧信号の電圧値がＶｔｈを上回った場合に、はじめてトリガー信号出力部１４０のソースドレイン間に電流が流れて、電圧値が低下する。この電圧値の低下したローレベルの出力信号をトリガー信号とする。
【００２１】
フリップフロップ回路部１５０は、例えば、図１に示すように、論理回路として、３入力のＮＡＮＤ回路Ａ（入力：ＡＩＮ１，ＡＩＮ２，ＡＩＮ３，出力：ＡＯＵＴ）と、ＮＡＮＤ回路Ｂ（入力：ＢＩＮ１，ＢＩＮ２，ＢＩＮ３，出力：ＢＯＵＴ）と、が組み合わされている。そして、ＮＡＮＤ回路Ａの入力ＡＩＮ１がトリガー信号出力部１４０（N型の電界効果トランジスタ１４０ｂのドレイン）と、入力ＡＩＮ２が手動スイッチ部１７０と接続され、ＮＡＮＤ回路Ｂの入力ＢＩＮ２が装置電源部１８０と、入力ＢＩＮ３が制御部５００と接続され、ＮＡＮＤ回路Ａの出力ＡＯＵＴがＮＡＮＤ回路Ｂの入力ＢＩＮ１、ＮＡＮＤ回路Ｂの出力ＢＯＵＴがＮＡＮＤ回路Ａの入力ＡＩＮ３、となるように構成されている。
そのため、例えば、図６の1段目に示すように、拡張モジュール１００のスタンバイ状態（制御部５００への給電停止状態）が、入力ＡＩＮ１，ＡＩＮ２，ＡＩＮ３：全てハイレベル（図６の「Ｈ」）の入力信号、入力ＢＩＮ１（＝ＡＯＵＴ）：ローレベル（図６の「Ｌ」）の入力信号、入力ＢＩＮ２，ＢＩＮ３：ハイレベルの入力信号で、出力ＢＯＵＴ：ハイレベルの出力信号によって形成されているとすると、この状態で、図２（Ｃ）に示すトリガー信号（ローレベルの入力信号）が入力ＡＩＮ１に入力されることで、図２（Ｄ）及び図６の２段目に示すように、出力ＢＯＵＴがローレベルの出力信号に反転される。
なお、図６の３段目に示すように、上記出力信号が反転した後は、トリガー信号が入力ＡＩＮ１に入力されなくなっても（つまり、入力ＡＩＮ１にハイレベルの入力信号が入力されても）、出力ＢＯＵＴがローレベルの出力信号を出力する状態は維持される。
【００２２】
切換えスイッチ１６０は、ゲートがフリップフロップ回路１５０の出力側（出力ＢＯＵＴ）と接続され、ドレインが制御部５００と接続されたＰ型の電界効果トランジスタで構成される。そして、図２（Ｄ）に示す反転されたローレベルの出力信号がＰ型の電界効果トランジスタのゲートに入力されると、ソースドレイン間に電流が流れ、切換えスイッチ１６０は、図２（Ｅ）に示すようにスタンバイ状態（制御部５００への給電停止状態）をオン状態（制御部５００への給電状態）に切換える。
また、当該Ｐ型の電界効果トランジスタはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）素子で形成されており、フリップフロップ回路部１５０からの出力信号のレベルが反転する際にしか電流が流れないので、オン状態とスタンバイ状態の各々の状態保持に電力を要しない。
【００２３】
制御部５００は、例えば、ＣＰＵ５１０と、ＲＡＭ５２０と、記憶部５３０と、を含んで構成され、拡張モジュール１００に備えられる各構成を統括制御する。また、制御部５００は切換えスイッチ１６０がオン状態になると給電されて起動する。そして、オン状態に切換えられた後、制御部５００による各種制御処理が実行されて、拡張モジュール１００の動作が終了する際に、制御部５００は、図３（Ａ）に示すように、ローレベルの出力信号（動作終了信号）をＮＡＮＤ回路Ｂの入力ＢＩＮ３に出力する。その結果、図３（Ｂ）及び図６の４段目に示されるように、出力ＢＯＵＴがハイレベルの出力信号に反転され（トリガー信号の入力により反転された出力信号のレベルが再度反転され）、Ｐ型の電界効果トランジスタ（切換えスイッチ１６０）のソースドレイン間に電流が流れなくなり、図３（Ｃ）に示すように、切換えスイッチ１６０はスタンバイ状態に切換える。
なお、図６の５段目に示すように、上記出力信号が反転した後は、動作終了信号が入力ＢＩＮ３に入力されなくなっても（つまり、ＢＩＮ３にハイレベルの入力信号が入力されても）、出力ＢＯＵＴがハイレベルの出力信号を出力する状態は維持される（つまり、図６の１段目の状態に戻る）。
【００２４】
ＣＰＵ５１０は、出力装置１の各部から入力される入力信号に応じて、記憶部５３０に格納された各種プログラムを実行するとともに、実行にかかるプログラムに基づいて各部に出力信号を出力することにより、拡張モジュール１００の動作全般を統括制御する。
ＲＡＭ５２０は、例えば、ＣＰＵ５１０により実行される処理プログラム等を展開するためのプログラム格納領域や、入力データや処理プログラムが実行される際に生じる処理結果等を格納するデータ格納領域などを備える。
記憶部５３０は、ＣＰＵ５１０が実行するプログラムを格納したエリアや当該プログラムの実行に必要な各種データを格納するエリアを備えて構成される。
【００２５】
手動スイッチ部１７０は、例えば、インピーダンス１７０ａと、スイッチのオン／オフを手動で切換えることができる手動スイッチ１７０ｂと、を含み、手動スイッチ１７０ｂの一端が外箱に接続され、手動スイッチ１７０ｂの他端とインピーダンス１７０ａとの中間点がＮＡＮＤ回路Ａの入力ＡＩＮ２と接続される。
つまり、図４（Ａ）に示すように、ユーザが手動スイッチ１７０ｂをオンにすると、外箱との接続により入力ＡＩＮ２への出力信号の電圧値が低下する。この電圧値の低下したローレベルの出力信号が入力ＡＩＮ２に入力されると、図４（Ｂ）及び図６の６段目に示すように出力ＢＯＵＴがローレベルの出力信号に反転されて、図４（Ｃ）に示すように切換えスイッチ１６０はオン状態に切換わる。
なお、図６の７段目に示すように、上記出力信号が反転した後は、ローレベルの出力信号が入力ＡＩＮ２に入力されなくなっても（つまり、ハイレベルの出力信号が入力ＡＩＮ２に入力されても）、出力ＢＯＵＴがローレベルの出力信号を出力する状態は維持される（図６の３段目の状態と同様になる）。
【００２６】
装置電源部１８０は、例えば、拡張モジュール１００の電圧源１８０ａと、リセットＩＣ１８０ｂと、を含んで構成され、電圧源１８０ａの一端がＮＡＮＤ回路Ｂの入力ＢＩＮ２と接続される。リセットＩＣ１８０ｂは、図５（Ａ）（Ｂ）に示すように、電圧源１８０ａが起動後規定の電圧値に到達するまで、入力ＢＩＮ２への出力信号をローレベルに保つことができる。そのため、当該ローレベルの出力信号が入力ＢＩＮ２に入力されると、図５（Ｃ）及び図６の０段目に示すように出力ＢＯＵＴはハイレベルの出力信号となり、図５（Ｄ）に示すように切換えスイッチ１６０がスタンバイ状態となる。そして、図５（Ａ）（Ｂ）に示すように、電圧源１８０ａが規定の電圧値を上回り、リセットＩＣ１８０ｂよりハイレベルの出力信号が入力ＢＩＮ２に入力されようになっても、図５（Ｃ）及び図６の１段目に示すように出力ＢＯＵＴはハイレベルの出力信号を維持するので、図５（Ｄ）に示すように切換えスイッチ１６０のスタンバイ状態が継続される。
【００２７】
（オン状態／スタンバイ状態の切換え処理）
次に、本実施形態に係る拡張モジュール１００により実施されるオン状態／スタンバイ状態の切換え処理について、図７のフローチャートを用いて説明する。
【００２８】
まず、装置電源部１８０の電圧源１８０ａが起動されると（ステップＳ１）、リセットＩＣにより切換えスイッチ１６０はスタンバイ状態となる（ステップＳ２）。
【００２９】
そして、直流成分生成部１３０にインターフェース信号が入力された、又は、ユーザが手動スイッチ部１７０の手動スイッチ１７０ｂをオンにした場合（ステップＳ３；Ｙｅｓ）、フリップフロップ回路部１５０の出力ＢＯＵＴがローレベルの出力信号に反転され、切換えスイッチ１６０はスタンバイ状態からオン状態に切換わる（ステップＳ４）。
一方で、インターフェース信号の入力が無い、及び、ユーザによって手動スイッチ１７０ｂがオンにされていない場合（ステップＳ３；Ｎｏ）、切換えスイッチ１６０がスタンバイ状態を継続する。
【００３０】
次いで、制御部５００は、切換えスイッチ１６０によりオン状態に切換えられた後、拡張モジュール１００の動作が終了したか否かを判断し（ステップＳ５）、動作が終了していないと判断した場合は終了するまで待機する。
一方で、制御部５００は、ステップＳ５にて動作が終了したと判断した場合、動作終了信号をフリップフロップ回路部１５０に出力して出力信号のレベルを再度反転させ、切換えスイッチ１６０はスタンバイ状態に切換わる（ステップＳ６）。
【００３１】
以上により、本実施形態における拡張モジュール１００は、端末１よりインターフェース部１１０に送信されるインターフェース信号の交流成分から、直流成分の電圧信号を生成する直流成分生成部１３０と、直流成分生成部１３０と接続され、直流成分生成部１３０により生成される電圧信号の電圧値がスレシホールド電圧Ｖｔｈを上回る場合に、トリガー信号を出力するトリガー信号出力部１４０と、ＮＡＮＤ回路Ａ，ＮＡＮＤ回路Ｂを有し、ＮＡＮＤ回路Ａの入力ＡＩＮ１がトリガー信号出力部１４０と接続され、トリガー信号出力部１４０よりトリガー信号が入力された場合に、出力信号のレベルを反転させて出力するフリップフロップ回路部１５０と、ゲートがフリップフロップ回路部１５０の出力側と接続され、ドレインが制御部５００と接続された電界効果トランジスタで構成され、フリップフロップ回路部１５０からトリガー信号の入力による反転された出力信号がゲートに入力されると、スタンバイ状態をオン状態に切換える切換えスイッチ１６０と、を備える。
【００３２】
したがって、拡張モジュール１００によれば、端末１より送信されるインターフェース信号に基づいて、フリップフロップ回路部１５０の出力を反転させるトリガー信号が生成され、当該反転した出力が電界効果トランジスタ（切換えスイッチ１６０）のゲートに入力されることで、制御部５００をオン状態に切換ることができる。つまり、本発明では、端末１よりインターフェース信号が送信されることで、拡張モジュール１００が給電状態となるので、端末１側で拡張モジュール１００の給電制御を行うための信号を別途生成する必要がない。
よって、本発明は、端末の制御部にモジュール装置の給電制御を行うための信号を生成する機能が備えられていなくとも、端末側でモジュール装置の給電制御を実施することができるモジュール装置であるといえる。
【００３３】
また、制御部５００は、フリップフロップ回路部１５０のＮＡＮＤ回路Ｂの入力ＢＩＮ３と接続され、切換えスイッチ１６０によりオン状態に切換えられた後当該拡張モジュール１００の動作が終了する際に、動作終了信号を入力ＢＩＮ３に出力し、フリップフロップ回路部１５０は、上記動作終了信号が入力された場合に、トリガー信号の入力による反転された出力信号のレベルを再度反転させて出力し、切換えスイッチ１６０は、フリップフロップ回路部１５０から動作終了信号の入力による再度反転された出力信号がゲートに入力されると、オン状態をスタンバイ状態に切換えることができる。
【００３４】
つまり、拡張モジュール１００は、ユーザが拡張モジュール１００の付加的な機能（例えば、ネットワーク接続機能）を実行させた後、制御部５００からの動作終了信号に基づいて、自動的に切換えスイッチ１６０をスタンバイ状態に切換えることができるので、ユーザにとっての利便性が高く、かつ、省電力性を高めたモジュール装置であるといえる。
【００３５】
また、切換えスイッチ１６０のＰ型の電界効果トランジスタはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）素子で形成されている。
【００３６】
つまり、切換えスイッチ１６０には、フリップフロップ回路部１５０からの出力信号のレベルが反転する際にしか電流が流れないので、オン状態とスタンバイ状態の各々の状態保持に電力を要しないので省電力性を一層向上させることが出来る。
【００３７】
なお、本発明の範囲は上記実施形態に限られることなく、本発明の趣旨を逸脱しない範囲において種々の改良並びに設計の変更を行っても良い。
例えば、本実施形態では、フリップフロップ回路に備えられる論理回路としてＮＡＮＤ回路を例示しているが、トリガー信号が入力された場合に、出力信号のレベルを反転させ、動作終了信号が入力された場合に上記レベルを再度反転可能で、当該反転状態を保持可能なものであれば、適宜変更可能である。
【符号の説明】
【００３８】
１                              端末
１００                          拡張モジュール（モジュール装置）
１１０                          インターフェース部
１３０                          直流成分生成部
１４０                          トリガー信号出力部
１５０                          フリップフロップ回路部（フリップフロップ回路）
Ａ                              ＮＡＮＤ回路（論理回路）
Ｂ                              ＮＡＮＤ回路（論理回路）
１６０                          切換えスイッチ（電界効果トランジスタ）
５００                          制御部（動作終了信号出力手段）
【図１】
2011022803.tif 000003
【図２】
2011022803.tif 000004
【図３】
2011022803.tif 000005
【図４】
2011022803.tif 000006
【図５】
2011022803.tif 000007
【図６】
2011022803.tif 000008
【図７】
2011022803.tif 000009